(57)【要約】【課題】  一般に屋根は傾斜をつけて降った雨水を流すように作られていて，平坦で人が屋根の上で容易に活動出来るように作られていないこと又屋根の上は植栽や庭園，屋外用設備を施す様に作られていない，又庭園や植栽，屋外設備は地上面に施工するケースが一般的で，地上面から切り離して持ち上げ，入替え，運搬などの移動をして使うことや展示販売，レンタルなどして使う様に作られていない。【解決手段】  屋根の上に人が乗って活動し易い平坦なスペースにすることと共に屋上を平坦にしても降った雨水が流れるような勾配と排水構造を備えること又庭園や植栽，屋外設備が地面と切り離せる独立した作庭台の上に庭園や植栽，屋外設備を作ること及びデッキ取り付けが可能な屋根機能を兼ねるプレートなどを一体化して作ることで前記載の課題を解決することが出来る。【選択図】図１０
2017133338.tif 000002
【特許請求の範囲】
【請求項１】
基本体は独立した荷物を載せて運ぶパレット形状の一つのプレートで，屋根機能とデッキ機能及び上面に庭園を載せて作ることが出来る作庭台を兼ね備える屋根材及びデッキ及び作庭台で，前記載のパレット形状の一つのプレートは上面を平坦に作られていて，上面にルーフプレート排水穴枠を設けて上面に降った雨水や散水はルーフプレート排水穴枠の穴に入り，ルーフプレート排水穴枠の下部に設けた屋根型排水溝に入る，屋根型排水溝は勾配がついていて入った雨水や散水は排水上流口から排水下流口の方向へ流れ出る構造になっていてパレット形状の一つのプレートで屋根機能とデッキと作庭台を兼ねることを特徴とするルーフデッキガーデニングプレート。
【請求項２】
前記載の請求項１のルーフデッキガーデニングプレートは１枚で広い面積に使える大型サイズのタイプ及び小型サイズがあり，ルーフデッキガーデニングプレートの基本体単体を縦方向や横方向に複数接続してサイズ，面積を大きくできることを特徴とするルーフデッキガーデニングプレート。
【請求項３】
前記載の請求項１のルーフデッキガーデニングプレートの基本体は四角形のパレット形状で，用途及びデザインに応じて多角形，円形，半円形，楕円形，などの形状に製作することもでき，屋上面，デッキ上面，作庭台上面を平坦にしたことで人が容易に乗り，作業や活動を容易にすることができ，屋上面，作庭台上面に庭園，野菜園，レンガ敷，敷石，流し台，バーベキューなどの屋外設備を載せて作ることを可能とし又別に作られた植栽用の枡，箱状のプランタをのせて固定して使い，植栽や栽培，屋外設備を施工して使用できることを特徴とするルーフデッキガーデニングプレート。
【請求項４】
前記載の請求項１のルーフデッキガーデニングプレートは独立した一つのプレートから出来ているもので，ルーフデッキガーデニングプレート，作庭台の上面に作った庭園，野菜園，屋外用設備をルーフデッキガーデニングプレートと共にリフトやクレーンで上げ移動及び下げ移動や車輪をつけて横移動又貨物自動車に積んで目的地へ運び，設置して使用すること又再度移動を可能とする動くガーデンシステムに利用することを特徴とするルーフデッキガーデニングプレート。
【請求項５】
前記載の請求項１，請求項３のルーフデッキガーデニングプレートの大きいサイズ及び小さいサイズの上に作られた植栽やレンガ敷，ウッドデッキなどの庭園及び屋外設備を複数組合せ又組み替え，移動する，組合せガーデンをつくることを特徴とするルーフデッキガーデニングプレート。
【請求項６】
前記載の請求項４のルーフデッキガーデニングプレート機能の作庭台を使い，庭園や野菜園，流し台，レンガ敷や敷石，屋外設備を作り，建物に近づけて移動し，リフトに載せて２階や上階の高さまで上げ，それを固定して２階や上階と繋げて使用することや２階や上階で景観を楽しむ又別に作っておいたプレートの庭園や屋外設備と入れ替えて昇降して使うリフトガーデンシステムに使うことを特徴とするルーフデッキガーデニングプレート。
【請求項７】
前記載の請求項６のルーフデッキガーデニングプレート又は後記載ルーフデッキプレート機能を使い，障害者や車椅子生活者がルーフデッキガーデニングプレート又はルーフデッキプレートの上に作られた庭園上又はデッキ上に乗り，地上から建物の２階及び上階へ上り下りを容易に出来るバリアフリー，アップダウン庭園，デッキシステムを作ることを特徴とするルーフデッキガーデニングプレート，ルーフデッキプレート。
【請求項８】
前記載の請求項３，請求項４のルーフデッキガーデニングプレート機能を使い運べる庭園，野菜畑，屋外設備を作り，必要とする場所へ運んで，庭園，野菜園及び栽培野菜，屋外設備を販売及びレンタルすること又これをイベント会場などで使えることを特徴とするモバイルガーデン販売レンタルシステムを可能とすることを特徴とするルーフデッキガーデニングプレート。
【請求項９】
荷物を運ぶパレット形状のルーフデッキプレートは屋根用材料及びデッキ施工用プレートで，勾配のついた屋根型排水溝を複数備え，その上部にデッキ材を取付ける為の構造材の取付け部を備え，取付けたデッキ用の構造材の上にデッキフロアを取り付けて上面を平坦なデッキの床が仕上がるように作られている又デッキ上に降った雨水，散水はデッキフロア材とデッキフロア材の取付けられた合わせ部の隙間から下部の屋根型排水溝へ落ちて排水上流口から勾配の低い方向の排水下流口に流れる構造で屋根とウッドデッキ又は樹脂などのデッキを兼ねて施工仕上げできることを特長とするルーフデッキプレート。
【請求項１０】
前記載の請求項１，請求項２のルーフデッキガーデニングプレート又は請求項９のルーフデッキプレートに柱を設けてカーポートを作り，屋根と屋上，デッキを一体化してフェンスで囲い屋上へ登り降りするはしごを設けて，屋上を利用できるガレージデッキガーデンシステムに利用することを特徴とするルーフデッキガーデニングプレートとルーフデッキプレート。
【請求項１１】
前記載の請求項１，請求項２，請求項３のルーフデッキガーデニングプレート及び前記載の請求項９のルーフデッキプレートを使って前記載の請求項４，請求項５，請求項６，請求項７，請求項８，の内容の作庭台の上に作った庭園，盆栽のガーデン，野菜園，屋外設備を移動，運搬，上げ下げして使い，販売，レンタルをすることを特徴とする動くガーデンシステム。
【発明の詳細な説明】
【技術分野】
【０００１】  本発明は一つの荷物を運ぶパレット形状のプレートで屋根機能とデッキ機能及び庭園を載せて作ることを可能としたルーフデッキガーデニングプレート及び庭園や野菜園，屋外設備を載せて作り，庭園や野菜園，屋外設備の移動や吊り上げ，組合せを可能としたルーフデッキガーデニングプレート又屋根とデッキを兼ねて作ることを可能としたルーフデッキプレート又前記載のルーフデッキガーデニングプレート及びルーフデッキプレートを使ったカーポート及び庭園の販売やレンタル，動くガーデンシステムに関する。
【背景技術】
【０００２】  屋上を利用して庭園，屋外用設備を施工して使う場合，屋上に防水層を傷めないように屋根とは別に保護材などを使用していた。【０００３】  屋上に植栽や庭園，屋外設備を設ける場合，屋根とは別の構造を作り，その上に庭園などを施工していた。【０００４】  一度地上面に施工した庭園やレンガ敷，敷石，屋外設備は切り離して移動することは困難で，取り壊して新たに作り直していた。【０００５】  ２階や上階に移動型庭園を作ることはスペースや施工性，環境などの条件もあり，一般にはあまり作られていない。【０００６】  一般の戸建て住宅で傷害者や車椅子生活者が２階や上階で生活することは上がり降りなど難しいことが多く，２階や上階はあまり使われていない。【０００７】  地面上に一度作った庭園や屋外設備及び畑に栽培した状態の野菜をそのまま運んで販売やレンタルすることは困難で有り，あまりされていない。【０００８】  一般にウッドや樹脂で作るデッキは上から降った雨水や散水は床板の合わせ目から下へ落ちるのでバルコニーなどでは屋根の役割を果たせないためウッドや樹脂のデッキの下に別に屋根を設けている。【０００９】  一般に作られているカーポートや物置，戸建て住宅などは屋根の上に人が乗って使うこと又物を置いて使うことは難しく屋根の上を庭園や野菜園，屋外設備構築などに利用していなかった。【００１０】一般に都心や市街地の住宅は土地の広さを確保できないこと及び現代は自動車社会となり住宅のほとんどに駐車スペースの確保が必要となって，そのため庭園スペースの確保が難しい状況で有り，庭園や屋上を有効に使う技術が必要である。【００１１】  現代の建築物は上階にスペースをのばす方法が多くなり，郊外の住宅も近年は多くが２階建てになっている。又住まいの生活空間もリビングやキッチンを２階に設けるケースも多く，庭園や屋外空間を２階などの上階に設ける技術が必要である。【００１２】その反面カーポート，物置などの屋根上の空間はほとんど利用されていないことが現状である。【００１３】  この改善策として，カーポート，物置など建築物の屋根上を有効利用する方法がある。又２階などの上階にガーデンを作り，リビングやキッチンと繋ぐ利用方法で，その下の空間を駐車スペースなどに有効利用することができる。
【先行技術文献】
【特許文献】
【００１４】
【特許文献１】特開２０１３−１４９００号公報
【特許文献２】特開２０１２−１６１２６３号公報
【特許文献３】特開平１１−２６２３３３号公報
【特許文献４】特開２０００−３０１９００号公報
【発明の概要】
【発明が解決しようとする課題】
【００１５】  一般の戸建住宅の屋上や建築物の屋上を利用する場合，屋根に雨水や散水を流す勾配をつけるため，人が活動することに適していなかった。又一般に屋上は植栽などを施工するための条件が満たされていない。【００１６】一般の戸建住宅やカーポートの屋根上に庭園スペースや人が活動するスペースを簡単に増やすことは難しい。【００１７】  一般に戸建住宅やカーポートの屋根上を庭園のように使い植栽や野菜園，屋用設備をつくり，人が容易に活動することは屋根の構造上難しかった。又地面と独立した庭園は作られていなかった。【００１８】  地面上に植栽，デッキ，屋外設備を施工した場合これをそのまま他の場所へ動して使うことは難しい。【００１９】  一度地面に植えた植物や作った庭園や屋外設備等は地面から独立していない為，植え替えや屋外設備等を地面から切り離して配置替えは容易でない。そのための模様替え容易でない【００２０】  移動が可能で，庭園や野菜園，屋外設備を載せて作ることの出来る独立した作庭台がない。又作庭台が屋根機能やデッキ機能を兼ね備えていない，又作庭台のサイズを連結して大きくし，作庭台の上に自由なサイズの庭園を作れない。【００２１】  植栽庭園，野菜園，屋外設備などを設けたスペースは地面などと独立していない為，そのまま２階や上階へなど高い位置に運び上げること又上げたその位置で使うこと又下げることは困難である。【００２２】  障害者や車椅子生活者は屋外と高低差の少ない部屋の行き来は可能であるが，建物の２階や上階での生活は困難である。【００２３】  地面上に作られた庭園や野菜園，ガーデン設備，アウトドアリビング等は地面から切り離して運び展示，販売やレンタルをすることは難しくビジネスとして困難である。又イベント会場などの庭園や屋外設備は使用が終わると再利用しにくく，取り壊されていた。【００２４】  一般に戸建住宅などのバルコニーの床にデッキを施工するとデッキ材の合わせ目から降った雨水が下に流れ落ちる。又雨水が下に流れ落ちることを防ぐ為にはデッキの下に別に防水構造を設ける又は屋根を設ける必要がある。【００２５】  日本の戸建て住宅事情は特に都心の近くは敷地が狭く又車社会で駐車スペースが必要で庭スペースは少ないことが現状である。
【課題を解決するための手段】
【００２６】  本発明のルーフデッキガーデニングプレートを使うことで屋上の利用ができ，庭園をつくるスペースを得ることができる。【００２７】  本発明のルーフデッキガーデニングプレートは上部面が平坦に作られていて，人が乗って容易に活動ができ，物が置き易く，屋外設備などを作り易い又上部に排水口を設けて有り，下部に勾配のついた屋根状の水を設け，雨水，散水を流すことを可能し，庭などを作ることができる，【００２８】  本発明のルーフデッキガーデニングプレートの小さいサイズをカーポートや物置の屋根に利用して又繋げて使うことで施工が容易になり，戸建て住宅等の敷地にガーデンスペースを増やすことが可能となる。【００２９】  本発明のルーフデッキガーデニングプレートの上に植栽の庭園，石やレンガなどを使ったガーデンスペースをつくることにより他の場所へ庭園やガーデンスペースを壊さずに運び移動設置ができる。【００３０】  本発明の独立したルーフデッキガーデニングプレートの上に庭園や菜園，屋外設備を作ることで移動を可能とし，リフトやクレーンでプレートと一体になった庭園，菜園，屋外設備などを上げて予め作られた庭園等固定場所に置き他の場所や二階などの上階で使うことが出来る。【００３１】  本発明の独立したルーフデッキガーデニングプレートの上に植栽や庭園，野菜園，屋外設備を作ることで植栽や庭園，野菜園，屋外設備を配置換えして組み替え景観や機能を作り変えることが可能となる。【００３２】  本発明の独立したルーフデッキガーデニングプレートの上に植栽や庭園，野菜園，屋外設備を作ることで建物の近くまで運びリフトに載せて上げて固定又下げて他に作庭された別の庭園などと入れ替えて使うことが出来る。【００３３】  本発明の独立したルーフデッキガーデニングプレートに作る庭園やデッキは移動できることから運んで住宅などの建物に近づけてリフトに庭園やデッキを載せて２階や上階に運び設置して使用する又下げることが可能で，この庭園やデッキに障害者や車椅子生活者が乗って２階などの上階と地上を行き来して容易に生活が出来るバリアフリーガーデンが可能となる。【００３４】  本発明の独立したルーフデッキガーデニングプレートの上に庭園，野菜園，屋外設備を作ることで，作庭した植栽，循環型の池や谷川の流れなどの庭園を運び，庭園の販売やレンタル又野菜園を運び，栽培している野菜をそのまま掘り取り，摘み取り，切り取り，収穫して販売又は種まきした野菜，植えつけた野菜苗を栽培中の野菜園をそのまま販売，レンタルを可能にします。又ルーフデッキガーデニングプレートに施工した芝生やデッキ，屋外庭園設備を運びイベント用などに販売，レンタルも可能にします。【００３５】  本発明のルーフデッキプレートを使いデッキを施工することで，屋根とデッキが一体になるため屋根の役割を果たし，デッキとして使うことも可能となる。【００３６】  本発明のルーフデッキガーデニングプレートを使いカーポート屋根を施工することでカースペースの上に庭園や屋外設備を作ることが可能なり，庭園スペースの確保することができる。
【発明の効果】
【００３７】  ルーフデッキガーデニングプレートはデッキと屋根が一体化した１枚のプートでこれを使って屋根を作ることで，屋上に人が容易に乗って活動することができる又屋上に庭を作ることや物を置くことを可能とする。又ルーフデッキガーデニングプレートを複数枚横列及び縦列に接続して屋根及びデッキ，庭園面積を増やすことを可能と知る利点がある。【００３８】  独立したデッキルーフガーデニングプレートを地上に置いて，その上に作庭することで庭や野菜園，屋外設備を運び，移動して別の場所で楽しみ，利用することができる。これにより庭園や栽培野菜を畑ごと又屋外設備を運んで販売，レンタルなどのビジネスが可能となる。又クレーンやリフトを使い高い位置へ運び昇降して使うことで２階などの上階で庭園や屋外設備を入れ替えて利用が可能となる利点がある。【００３９】  ルーフデッキガーデニングプレート及びルーフデッキプレートを使い，屋上スペースを利用することにより敷地や建物の空間の有効利用ができる効果がある又独立したルーフデッキガーデニングプレート及びルーフデッキプレートを地上面に置き庭園や野菜園，屋外設備作りことで移動が可能となり，多くの利用が期待できる。
【図面の簡単な説明】
【００４０】
【図１】ルーフデッキガーデニングプレートＳ，小型サイズの図、
【図２】ルーフデッキガーデニングプレートＳ，小型サイズの４枚連結，鳥瞰図。
【図３】ルーフデッキガーデニングプレートＬ，大型サイズの鳥瞰図。
【図４】ルーフデッキガーデニングプレート取付補強台の図
【図５】ルーフデッキガーデニングプレート４枚連結を取付補強台に取付けた鳥瞰図。
【図６】ルーフデッキガーデニングプレート大型サイズを取付補強台に取付けた鳥瞰図。
【図７】ルーフデッキガーデニングプレート小型サイズの４枚連結を使ったカーポートの鳥瞰図。
【図８】ルーフデッキガーデニングプレートの上に植栽ボックス，フェンス等をつけた鳥瞰図。
【図９】ルーフデッキガーデニングプレートの上に作庭をしてフェンス等をつけた鳥瞰図，動くガーデンの図。
【図１０】ルーフデッキガーデニングプレートの上に作庭してフェンスをつけたガーデンをクレーンで吊上げた鳥瞰図。
【図１１】（Ａ）ルーフデッキガーデニングプレートの動くガーデン正面図，（Ｂ）庭園昇降機，ガーデンリフト立面図，（Ｃ）庭園昇降機，ガーデンリフトと動くガーデンの立面図。
【図１２】（Ａ）動くガーデン，ルーフデッキガーデニングプレートのガーデンを庭園昇降機，ガーデンリフトで上げた立面図及び（Ｂ）動くガーデンとガーデンリフト，駐車図。
【図１３】（Ａ）及び（Ｂ）ルーフデッキガーデニングプレートを組み合わせたガーデンの入替え鳥瞰図。
【図１４】ルーフデッキガーデニングプレートを組合せたガーデンとガーデンリフト，建物の配置図。
【図１５】ガーデンリフトとルーフデッキガーデニングプレートのガーデンと建物の立面図。
【図１６】（Ａ）ルーフデッキプレートの鳥瞰図，（Ｂ）正面図，（Ｃ）側面図。
【発明を実施するための形態】
【００４１】  本発明の実施例を図１から図１６に基づいて説明する。
【実施例】
【００４２】  本発明の図１，図２，図３のルーフデッキガーデニングプレートは荷物を運パレット形状の独立した一つのプレートで，屋根機能とデッキ機能と庭園などを荷物を運ぶパレット形状のプレートの上面に載せて作ることを可能とする作庭台機能を兼ねるものである。図１，図２，図３のルーフデッキガーデニングプレートには複数のタイプがあり，図１はルーフデッキガーデニングプレートＳで名称末尾にＳがついている小型サイズであり。又図２は図１ルーフデッキガーデニングプレートＳを４枚連結したものである。図３ルーフデッキガーデニングプレートＬは名称末尾にＬがついている大型サイズであり。これらを総称してルーフデッキガーデニングプレートと言う。又図１６ルーフデッキプレートＳＤは名称末尾にＳＤのついたデッキ取り付け専用タイプである。ルーフデッキガーデニングプレートの上面に図１のルーフデッキガーデニングプレートの（Ａ）の様にルーフデッキガーデニングプレートには１ルーフプレート排水穴枠を設けてあり，２排水穴がついている。Ａ〜Ａ´は図１（Ｂ）のルーフデッキガーデニングプレートの断面部である。図１のルーフデッキガーデニングプレートの上面に降った雨水や散水は図１の（Ｂ）ルーフデッキプガーデニングプレート断面図の１ルーフプレート排水穴枠の２排水穴から勾配のついた５屋根型排水溝へ入り，３排水上流口から４排水下流口へ流れる図１の（Ｃ）は１ルーフプレート排水穴枠がルーフデッキガーデニングプレートに一体化して取り付いている鳥瞰図である。４は排水下流口である。図１の（Ｄ）はルーフデッキガーデニングプレートＳの鳥瞰図でルーフデッキガーデニングプレートの上面にある１ルーフプレート排水穴枠が取り外しできるタイプで，５屋根型排水口の点検などを可能とする。雨水や散水は２排水穴に入り４排水下流口へ流れ出る。【００４３】  図２は前記載，本発明のルーフデッキガーデニングプレートＳを４枚連結し鳥瞰図で庭園や屋根，デッキなどの必要なスペースに応じて複数枚を連結して使用する。６連結接続部，２排水穴，４排水下流口である。【００４４】  図３は前記載，本発明のルーフデッキガーデニングプレートＬの鳥瞰図で大サイズの１枚で出来ている，排水穴から入った雨水や散水は４排水下流口へ流れ出る。施工環境や用途によりサイズを選択して使用する。【００４５】  図４は本発明のルーフデッキガーデニングプレートの取付補強台の鳥瞰図でルーフデッキガーデニングプレートプ及びルーフデッキプレートの補強と取付けのために使用する。【００４６】  図５は本発明の取付補強台に図１ルーフデッキガーデニングプレートＳを４枚連結し，取り付けたものである。【００４７】Ｌ型と補強台
図６は本発明の５取付補強台に図６の１枚のデッキルーフ，ガーデニングプートＬを取付けたものである。【００４８】  図７は本発明の図１ルーフデッキガーデニングプレートＳを４枚連結し，８ーポート柱，９カーポート梁の構造材に取り付け，屋根として施工し，周囲に１０フェンス，１１フェンスロープを取り付け，屋根上に人が容易に乗ることを可能とした屋上デッキを兼ねる屋上ガーデニングスペースを作り，１４ハシゴ階段から１２荷物（タイヤ），１３荷物（カヌー）運び，置いて，下に１５自動車を入れたカーポートである。【００４９】  図８は本発明のルーフデッキガーデニングプレートの上に１６植栽ボックス７レンガ敷，敷石，１８ウッドデッキを施工して１９フェンスを取付け，移動のための２２吊り用フック掛けを取り付け，植栽する前の動くガーデンである。【００５０】  図９は本発明のルーフデッキガーデニングプレートの上に１６植栽ボックスを取付け，２０植木を植え，２１野菜を栽培し，１７レンガ敷，敷石，１８ウッッドデッキを施工し，１９ファンスを取付けて，ルーフデッキガーデニングプレートと共にリフトで上げて移動又２２吊り用フック掛けを取付け，ワイヤー，フックを取り付け，クレーンで吊上げて移動を可能にした，動くガーデンである。【００５１】  図１０は本発明のルーフデッキガーデニングプレートの上に作庭した，図９動くガーデンをルーフデッキガーデニングプレートと共に２３クレーンを使い，２４ワイヤーを２２吊り用フック掛けに取り付け，図９の動くガーデンを吊り上げたものである。同じ敷地内移動や動くガーデンを貨物車に積んで必要とする他の場所へ運び使うことも可能とする。【００５２】図１１は本発明のルーフデッキガーデニングプレートの上に作庭した９動くガーデンに車輪を取りつけて移動し、（Ｂ）庭園昇降機，ガーデンリフトの近くへ運び，（Ｃ）は庭園昇降用の２５リフトキャリーに載せたものである。【００５３】  図１２は本発明のルーフデッキガーデニングプレートの上に作庭した９動くガーデンを（Ａ）庭園昇降機，ガーデンリフトで上げたものである。図１２の（Ｂ）は（図１２）の（Ａ）の下へ１８自動車をいれて駐車したものである。【００５４】  図１３は本発明のルーフデッキガーデニングプレートの上に１６植栽ボッス１７レンガ敷，敷石，１８ウッドデッキを施工ウッドデッキ（１８），１７レンガ敷，敷石，を施工し，２６ルーフデッキプレート正方形型，２７植栽枡と植木を左下に配置した組み合わせたシステムガーデンである。（Ｂ）は２７植栽枡と植木を右上に移動して組合せたシステムガーデンである。【００５５】  図１４は本発明の９動くガーデンに１７レンガ敷，敷石，１８ウッドデッキび２７植栽枡と植木を右上に配置した組合せシステムガーデンと２９建物，３０バルコニーと２８庭園昇降機，ガーデンリフトを配置したものである。【００５６】  図１５は本発明の９動くガーデンを２９建物の２階レベルへ２８庭園昇降ガーデンリフトに載せて上昇し，固定した，建物と３７駐車スペース，２８庭園昇降機，ガーデンリフトの動くシステムガーデンである。【００５７】  図１６は本発明のルーフデッキプレートＳＤに３２デッキ根太取付け部  へ３３構造材の根太を取り付け���４デッキフロアを根太上に取り付ける。５屋根型排水口は３排水上流口から雨水，散水を４排水下流口へ流す。図１６の（Ｂ）正面図で３４ウッドデッキ材を取り付けた合わせ部の隙間か流れ落ちる雨水，散水は５屋根型排水溝に入り，４排水口下流へ流れる構造である。図１６の（Ｃ）は３５横枠が３排水上流口側に取り付き，３６雨樋枠は排水下流口側の部分に取り付く，雨水や散水は３排水上流口から４排水下流口の方向に屋根型排水溝の勾配が下がり流れる又３４ウッドデッキフロア材は平坦なル紀屋根状に取り付く。
【産業上の利用可能性】
【００５８】  本発明のルーフデッキガーデニングプレートが屋根機能とデッキ機能と作台機能を一つのプレートで兼ねることから施工効率の改善とカーポート，物置，倉庫などを含めた建築物の屋上スペースの有効利用に役立つ又このルーフデッキガーデニングプレートを作庭台として使い，この上に庭園，野菜園，レンガ張りスペース，ウッドデッキ，屋外キッチンなどの構築物を作れることでこれを移動，運搬し，他の場所で使えることにより再利用の可能性も上がり，一般家庭や諸施設などで使われることが期待できる又庭園や野菜園を運搬できることから本発明の動くガーデンの移動庭園、移動菜園，庭園設備の販売、レンタルビジネスの可能性が拡がる。【００５９】  ルーフデッキガーデニングプレート及びルーフデッキプレートの上に庭園や野菜園，屋外用設備を作り，ガーデン専用昇降機，リフトやクレーンなどを使い，庭園や野菜園，屋外用設備をルーフデッキガーデニングプレートと共に２階などの上階へ昇降できることで利便性と空間有効利用の機能上から住宅や諸施設で採用されることが期待できる。これらのことから産業上又新たなビジネスの拡大に繋がる利点がある。【００６０】  ルーフデッキガーデニングプレートの上に作る庭園や野菜園，屋外用設備は屋内で作ることが可能で有り，天候や時間に制限されず工場生産が可能である。このことから新たなガーデニングビジネス産業を生み出す。
【符号の説明】
【００６１】１  ルーフプレート排水穴枠，
２  排水穴
３  排水上流口
４  排水下流口
５  屋根型排水溝
６  連結接続部
７  取付補強台
８  カーポート柱
９  カーポート梁
１０  カーポートフェンス柱
１１  フェンスロープ
１２  荷物（タイヤ）
１３  荷物（カヌー）
１４  ハシゴ，階段
１５  自動車
１６  植栽ボックス
１７  レンガ敷，敷石
１８  ウッドデッキ
１９  フェンス
２０  植木
２１  野菜
２２  吊り用フック掛け
２３  クレーン
２４  ワイヤー
２５  リフトキャリー
２６  ルーフデッキプレート
２７  植栽枡と植木
２８  ガーデンリフト
２９  建物
３０  バルコニー
３１  動くガーデン
３２  デッキ根太取付け部
３３  デッキ根太
３４  デッキフロア材
３５  横枠
３６  雨樋枠
３７  駐車スペース
【図１】
2017133338.tif 000003
【図２】
2017133338.tif 000004
【図３】
2017133338.tif 000005
【図４】
2017133338.tif 000006
【図５】
2017133338.tif 000007
【図６】
2017133338.tif 000008
【図７】
2017133338.tif 000009
【図８】
2017133338.tif 000010
【図９】
2017133338.tif 000011
【図１０】
2017133338.tif 000012
【図１１】
2017133338.tif 000013
【図１２】
2017133338.tif 000014
【図１３】
2017133338.tif 000015
【図１４】
2017133338.tif 000016
【図１５】
2017133338.tif 000017
【図１６】
2017133338.tif 000018